(57)【要約】【課題】印刷データをプリンタ装置で印刷する際に、簡単にプリンタの印刷機能の設定を行うことが可能な情報処理装置を提供すること。【解決手段】パーソナルコンピュータのＣＰＵは、プリンタドライバに従って、各々が１または複数の印刷機能を表すワンクリックアイコンの一覧をアイコン表示領域ａ１に表示し、アイコン表示領域ａ１に表示されたワンクリックアイコンの一覧の中から１のワンクリックアイコンを選択し、選択したワンクリックアイコンに対応した複数の印刷機能を自動設定する。【選択図】図７
2010250851.tif 000002
【特許請求の範囲】
【請求項１】
表示部に表示される表示画面上で、印刷データをプリンタ装置で印刷する際の印刷機能を設定する情報処理装置において、
各々が複数の印刷機能を表すシンボルの一覧を前記表示画面上の第１の表示領域に表示する第１の表示制御手段と、
前記第１の表示領域に表示されたシンボルの一覧の中から１のシンボルを選択する第１の選択手段と、
前記第１の選択手段で選択されたシンボルが表す複数の印刷機能を設定する印刷機能設定手段と、
を備えたことを特徴とする情報処理装置。
【請求項２】
前記表示画面上に、複数の印刷機能を選択するための第２の表示領域を表示する第２の表示制御手段と、
前記第２の表示領域で、複数の印刷機能を選択するための印刷機能選択手段と、
前記印刷機能選択手段で選択された複数の印刷機能を表すシンボルを作成するシンボル作成手段と、
前記印刷機能選択手段で選択された複数の印刷機能と、前記シンボル作成手段で作成した複数の印刷機能を表すシンボルとを対応づけて登録するシンボル登録手段と、
を備えたことを特徴とする請求項１に記載の情報処理装置。
【請求項３】
さらに、前記シンボル作成手段で作成されたシンボルを、前記表示画面上の第３の表示領域に表示する第３の表示制御手段を備えたことを特徴とする請求項２に記載の情報処理装置。
【請求項４】
前記第２の表示制御手段は、前記第２の表示領域に、単一の印刷機能を表すシンボル群を表示し、
前記印刷機能選択手段は、前記第２の表示領域に表示されたシンボル群から複数のシンボルを選択して、当該選択した複数のシンボルが各々表す印刷機能を選択することを特徴とする請求項２または請求項３に記載の情報処理装置。
【請求項５】
さらに、各印刷機能毎に、印刷機能を表すイメージデータが複数登録されている記憶手段を備え、
前記シンボル作成手段は、前記印刷機能選択手段で選択された印刷機能を表す前記記憶手段に登録されているイメージデータを合成して複数の印刷機能を表すシンボルを作成することを特徴とする請求項２〜請求項４のいずれか１つに記載の情報処理装置。
【請求項６】
前記印刷機能には、用紙方向、両面機能、集約機能、製本機能、ステープル機能、パンチ機能、および拡大／縮小機能等が含まれることを特徴とする請求項１〜請求項５のいずれか１つに記載の情報処理装置。
【請求項７】
前記第１の表示領域に表示されたシンボルの並び替えを指定する並び替え指定手段と、
前記並び替え指定手段で指定された並び替えに従って前記第１の表示領域に表示されているシンボルを並び替える並び替え手段と、
を備えたことを特徴とする請求項１〜請求項６のいずれか１つに記載の情報処理装置。
【請求項８】
表示部に表示される表示画面上で、印刷データをプリンタ装置で印刷する際の印刷機能を設定する印刷条件設定方法において、
各々が複数の印刷機能を表すシンボルの一覧を前記表示画面上の第１の表示領域に表示する第１の表示ステップと、
前記第１の表示領域に表示されたシンボルの一覧の中から１のシンボルを選択する選択ステップと、
前記第１の選択手段で選択されたシンボルが表す複数の印刷機能を設定する印刷機能設定ステップと、
を含むことを特徴とする印刷条件設定方法。
【請求項９】
さらに、
前記表示画面上に、複数の印刷機能を選択するための第２の表示領域を表示する第２の表示ステップと、
前記第２の表示領域で、複数の印刷機能を選択する印刷機能選択ステップと、、
前記選択された複数の印刷機能を表すシンボルを作成するシンボル作成ステップと、
前記選択された複数の印刷機能と、前記作成した複数の印刷機能を表すシンボルとを対応づけて登録するステップと、
を含むことを特徴とする請求項８に記載の印刷条件設定方法。
【請求項１０】
さらに、前記作成されたシンボルを、前記表示画面上の第３の表示領域に表示する第３の表示ステップを含むことを特徴とする請求項９に記載の印刷条件設定方法。
【請求項１１】
前記第２の表示ステップでは、前記第２の表示領域に、単一の印刷機能を表すシンボル群を表示し、
前記印刷機能選択ステップでは、前記第２の表示領域に表示されたシンボル群から複数のシンボルを選択して、当該選択した複数のシンボルが各々表す印刷機能を選択することを特徴とする請求項９または請求項１０に記載の印刷条件設定方法。
【請求項１２】
前記シンボル作成ステップでは、各印刷機能毎に、印刷機能を表すイメージデータが複数登録されている記憶手段から、前記選択された印刷機能を表すイメージデータを読み出して複数のイメージデータを合成して、複数の印刷機能を表すシンボルを作成することを特徴とする請求項９〜請求項１１のいずれか１つに記載の印刷条件設定方法。
【請求項１３】
前記印刷機能には、用紙方向、両面機能、集約機能、製本機能、ステープル機能、パンチ機能、および拡大／縮小機能等が含まれることを特徴とする請求項８〜請求項１２のいずれか１つに記載の印刷条件設定方法。
【請求項１４】
さらに、
前記第１の表示領域に表示されたシンボルの並び替えを指定するステップと、
前記指定された並び替えに従って前記第１の表示領域に表示されているシンボルを並び替えるステップと、
を含むことを特徴とする請求項８〜請求項１３のいずれか１つに記載の印刷条件設定方法。
【請求項１５】
請求項８〜請求項１４のいずれか１つに記載の発明の各ステップをコンピュータで実行するためのプログラムが格納されていることを特徴とするコンピュータが読み取り可能な記録媒体。
【発明の詳細な説明】
【技術分野】
【０００１】
本発明は，情報処理装置、印刷条件設定方法、およびその方法を実行するためのプログラムを格納したことを特徴とするコンピュータが読み取り可能な記録媒体に関し、詳細には、複数の印刷条件を表象するアイコンを作成し、当該作成されたアイコンを選択して複数の印刷条件を設定することが可能な情報処理装置、印刷条件設定方法、およびその方法を実行するためのプログラムを格納したことを特徴とするコンピュータが読み取り可能な記録媒体に関する。
【背景技術】
【０００２】
近時、プリンタ装置は、機能の増加および高度化が進み、ユーザーにとってプリンタの設定が複雑で難しいものとなってきている。具体的には、ユーザーにとって、プリンタドライバ画面で、印刷条件を設定するのが複雑で難しいという状況になっている。かかるプリンタドライバは、特定のプログラムに対して他のプログラムが、プリンタのハードウエアや内部”言語”に煩わされることなく操作できるように設計されたソフトウエアプログラムであり、プリンタを制御するためのもので、出力データの処理等をおこなうためのものである。プリンタが異なれば、プリンタを正しく操作し、それぞれの特殊機能や能力を使うために必要なコードおよびコマンドも異なる。アプリケーションプログラムは、アプリケーションプログラムに代わって各プリンタの微妙に異なる機能をすべて取り扱うプリンタドライバを使用して多様なプリンタと的確にやりとりできる 。Ｗｉｎｄｏｗｓ（登録商標）９５／９８やＭａｃＯＳ等では、プリンタドライバーはＯＳが管理している。
【発明の概要】
【発明が解決しようとする課題】
【０００３】
本発明は、上記に鑑みてなされたものであり、印刷データをプリンタ装置で印刷する際に、簡単にプリンタの印刷機能の設定を行うことが可能な情報処理装置、印刷条件設定方法、およびその方法を実行するためのプログラムを格納したことを特徴とするコンピュータが読み取り可能な記録媒体を提供することを目的とする。
【課題を解決するための手段】
【０００４】
上記課題を解決するために、請求項１にかかる発明は、表示部に表示される表示画面上で、印刷データをプリンタ装置で印刷する際の印刷機能を設定する情報処理装置において、各々が複数の印刷機能を表すシンボルの一覧を前記表示画面上の第１の表示領域に表示する第１の表示制御手段と、前記第１の表示領域に表示されたシンボルの一覧の中から１のシンボルを選択する第１の選択手段と、前記第１の選択手段で選択されたシンボルが表す複数の印刷機能を設定する印刷機能設定手段と、を備えたものである。
【０００５】
上記発明によれば、第１の表示制御手段は、各々が複数の印刷機能を表すシンボルの一覧を前記表示画面上の第１の表示領域に表示し、第１の選択手段は、第１の表示領域に表示されたシンボルの一覧の中から１のシンボルを選択し、印刷機能設定手段は、第１の選択手段で選択されたシンボルが表す複数の印刷機能を設定する。
【０００６】
また、請求項２にかかる発明は、請求項１にかかる発明において、前記表示画面上に、複数の印刷機能を選択するための第２の表示領域を表示する第２の表示制御手段と、前記第２の表示領域で、複数の印刷機能を選択するための印刷機能選択手段と、前記印刷機能選択手段で選択された複数の印刷機能を表すシンボルを作成するシンボル作成手段と、前記印刷機能選択手段で選択された複数の印刷機能と、前記シンボル作成手段で作成した複数の印刷機能を表すシンボルとを対応づけて登録するシンボル登録手段と、を備えたものである。
【０００７】
上記発明によれば、第２の表示制御手段は、表示画面上に、複数の印刷機能を選択するための第２の表示領域を表示し、前記印刷機能選択手段は、第２の表示領域で、複数の印刷機能を選択し、シンボル作成手段は、印刷機能選択手段で選択された複数の印刷機能を表すシンボルを作成し、シンボル登録手段は、印刷機能選択手段で選択された複数の印刷機能と、シンボル作成手段で作成した複数の印刷機能を表すシンボルとを対応づけて登録する。
【０００８】
また、請求項３にかかる発明は、請求項２にかかる発明において、さらに、前記シンボル作成手段で作成されたシンボルを、前記表示画面上の第３の表示領域に表示する第３の表示制御手段を備えたものである。上記発明によれば、前記台３の表示制御手段は、シンボル作成手段で作成されたシンボルを、表示画面上の第３の表示領域に表示する。
【０００９】
また、請求項４にかかる発明は、請求項２または請求項３にかかる発明において、前記第２の表示制御手段は、前記第２の表示領域に、単一の印刷機能を表すシンボル群を表示し、前記印刷機能選択手段は、前記第２の表示領域に表示されたシンボル群から複数のシンボルを選択して、当該選択した複数のシンボルが各々表す印刷機能を選択するものである。上記発明によれば、第２の表示制御手段は、第２の表示領域に、単一の印刷機能を表すシンボル群を表示し、前記印刷機能選択手段は、第２の表示領域に表示されたシンボル群から複数のシンボルを選択して、当該選択した複数のシンボルが各々表す印刷機能を選択する。
【００１０】
また、請求項５にかかる発明は、請求項２〜請求項４のいずれか１つにかかる発明において、さらに、各印刷機能毎に、印刷機能を表すイメージが複数登録されている記憶手段を備え、前記シンボル作成手段は、前記印刷機能選択手段で選択された印刷機能を表す前記記憶手段に登録されているイメージを合成して複数の印刷機能を表すシンボルを作成するものである。上記発明によれば、記憶手段に各印刷機能毎に、印刷機能を表すイメージが複数登録し、シンボル作成手段は、印刷機能選択手段で選択された印刷機能を表す前記記憶手段に登録されているイメージを合成して複数の印刷機能を表すシンボルを作成する。
【００１１】
また、請求項６にかかる発明は、請求項１〜請求項５のいずれか１つにかかる発明において、前記印刷機能には、用紙方向、両面機能、集約機能、製本機能、ステープル機能、パンチ機能、および拡大／縮小機能等が含まれるものである。上記発明によれば、印刷機能として、用紙方向、両面機能、集約機能、製本機能、ステープル機能、パンチ機能、および拡大／縮小機能等を選択可能とした。
【００１２】
また、請求項７にかかる発明は、請求項１〜請求項６のいずれか１つにかかる発明において、前記第１の表示領域に表示されたシンボルの並び替えを指定する並び替え指定手段と、前記並び替え指定手段で指定された並び替え順に前記第１の表示領域に表示されているシンボルを並び替える並び替え手段と、を備えたものである。
【００１３】
上記発明によれば、並び替え指定手段は、第１の表示領域に表示されたシンボルの並び替えを指定し、並び替え手段は、並び替え指定手段で指定された並び替え順に第１の表示領域に表示されているシンボルを並び替える。
【００１４】
また、請求項８にかかる発明は、表示部に表示される表示画面上で、印刷データをプリンタ装置で印刷する際の印刷機能を設定する印刷条件設定方法において、各々が複数の印刷機能を表すシンボルの一覧を前記表示画面上の第１の表示領域に表示する第１の表示ステップと、前記第１の表示領域に表示されたシンボルの一覧の中から１のシンボルを選択する選択ステップと、前記第１の選択手段で選択されたシンボルが表す複数の印刷機能を設定する印刷機能設定ステップと、を含むものである。
【００１５】
上記発明によれば、各々が複数の印刷機能を表すシンボルの一覧を前記表示画面上の第１の表示領域に表示し、第１の表示領域に表示されたシンボルの一覧の中から１のシンボルを選択し、第１の選択手段で選択されたシンボルが表す複数の印刷機能を設定する。
【００１６】
また、請求項９にかかる発明は、請求項８にかかる発明において、さらに、前記表示画面上に、複数の印刷機能を選択するための第２の表示領域を表示する第２の表示ステップと、前記第２の表示領域で、複数の印刷機能を選択する印刷機能選択ステップと、前記印刷機能選択手段で選択された複数の印刷機能を表すシンボルを作成するシンボル作成ステップと、前記選択された複数の印刷機能と、前記作成した複数の印刷機能を表すシンボルとを対応づけて登録するステップと、を含むものである。上記発明によれば、表示画面上に、複数の印刷機能を選択するための第２の表示領域を表示し、第２の表示領域で、複数の印刷機能を選択し、選択された複数の印刷機能を表すシンボルを作成し、選択された複数の印刷機能と、作成した複数の印刷機能を表すシンボルとを対応づけて登録する。
【００１７】
また、請求項１０にかかる発明は、請求項９にかかる発明において、さらに、前記作成されたシンボルを、前記表示画面上の第３の表示領域に表示する第３の表示ステップを含むものである。上記発明によれば、作成されたシンボルを、表示画面上の第３の表示領域に表示する。
【００１８】
また、請求項１１にかかる発明は、請求項９または請求項１０にかかる発明において、前記表示ステップでは、前記第２の表示領域に、単一の印刷機能を表すシンボル群を表示し、前記印刷機能選択ステップでは、前記第２の表示領域に表示されたシンボル群から複数のシンボルを選択して、当該選択した複数のシンボルが各々表す印刷機能を選択するものである。
【００１９】
上記発明によれば、第２の表示領域に、単一の印刷機能を表すシンボル群を表示し、第２の表示領域に表示されたシンボル群から複数のシンボルを選択して、当該選択した複数のシンボルが各々表す印刷機能を選択する。
【００２０】
また、請求項１２にかかる発明は、請求項９〜請求項１１のいずれか１つにかかる発明において、前記シンボル作成ステップでは、各印刷機能毎に、印刷機能を表すイメージが複数登録されている記憶手段から、前記選択された印刷機能を表すイメージを読み出して合成し、複数の印刷機能を表すシンボルを作成するものである。上記発明によれば、各印刷機能毎に、印刷機能を表すイメージが複数登録されている記憶手段から、選択された印刷機能を表すイメージを読み出して合成し、複数の印刷機能を表すシンボルを作成する。
【００２１】
また、請求項１３にかかる発明は、請求項８〜請求項１２のいずれか１つにかかる発明において、前記印刷機能には、用紙方向、両面機能、集約機能、製本機能、ステープル機能、パンチ機能、および拡大／縮小機能等が含まれるものである。上記発明によれば、印刷機能として、用紙方向、両面機能、集約機能、製本機能、ステープル機能、パンチ機能、および拡大／縮小機能等が選択可能である。
【００２２】
また、請求項１４にかかる発明は、請求項８〜請求項１３のいずれか１つにかかる発明において、さらに、前記第１の表示領域に表示されたシンボルの並び替えを指定するステップと、前記指定された並び替えに従って前記第１の表示領域に表示されているシンボルを並び替えるステップと、を含むものである。上記発明によれば、第１の表示領域に表示されたシンボルの並び替えを指定し、指定された並び替えに従って第１の表示領域に表示されているシンボルを並び替える。
【００２３】
また、請求項１５にかかる発明は、請求項８〜請求項１４のいずれか１つに記載の発明の各ステップをコンピュータで実行するためのプログラムが格納されているものである。上記発明によれば、コンピュータで記録媒体に格納されているプログラムを実行することにより、請求項８〜請求項１４のいずれか１つに記載の発明の各ステップを実現する。
【発明の効果】
【００２４】
以上説明したように，請求項１にかかる発明によれば、第１の表示制御手段は、各々が複数の印刷機能を表すシンボルの一覧を前記表示画面上の第１の表示領域に表示し、第１の選択手段は、第１の表示領域に表示されたシンボルの一覧の中から１のシンボルを選択し、印刷機能設定手段は、第１の選択手段で選択されたシンボルが表す複数の印刷機能を設定することとしたので、印刷データをプリンタ装置で印刷する際に、簡単にプリンタ装置の印刷機能の設定を行うことが可能となる。
【００２５】
また、請求項２にかかる発明によれば、請求項１にかかる発明において、第２の表示制御手段は、表示画面上に、複数の印刷機能を選択するための第２の表示領域を表示し、印刷機能選択手段は、第２の表示領域で、複数の印刷機能を選択し、シンボル作成手段は、印刷機能選択手段で選択された複数の印刷機能を表すシンボルを作成し、シンボル登録手段は、印刷機能選択手段で選択された複数の印刷機能と、シンボル作成手段で作成した複数の印刷機能を表すシンボルとを対応づけて登録することとしたので、請求項１にかかる発明の効果に加えて、ユーザが所望の複数の印刷機能を表すシンボルを作成し、作成したシンボルを選択することで複数の印刷機能を設定でき、ユーザーの使い勝手が良くなる。
【００２６】
また、請求項３にかかる発明によれば、請求項２にかかる発明において、第３の表示制御手段は、シンボル作成手段で作成されたシンボルを、表示画面上の第３の表示領域に表示することとしたので、請求項２にかかる発明の効果に加えて、ユーザーは、複数の印刷機能を表すシンボルの作成工程を確認することが可能となる。
【００２７】
また、請求項４にかかる発明によれば、請求項２または請求項３にかかる発明において、第２の表示制御手段は、第２の表示領域に、単一の印刷機能を表すシンボル群を表示し、印刷機能選択手段は、第２の表示領域に表示されたシンボル群から複数のシンボルを選択して、当該選択した複数のシンボルが各々表す印刷機能を選択することとしたので、請求項２または請求項３にかかる発明の効果に加えて、ユーザーは、印刷機能の選択が容易となる。
【００２８】
また、請求項５にかかる発明によれば、請求項２〜請求項４のいずれか１つにかかる発明において、記憶手段に各印刷機能毎に、印刷機能を表すイメージが複数登録し、シンボル作成手段は、印刷機能選択手段で選択された印刷機能を表す前記記憶手段に登録されているイメージを合成して複数の印刷機能を表すシンボルを作成することとしたので、請求項２〜請求項４のいずれか１つにかかる発明の効果に加えて、簡単な方法で複数の印刷機能を表すシンボルを作成することが可能となる。
【００２９】
また、請求項６にかかる発明によれば、請求項１〜請求項５のいずれか１つにかかる発明において、印刷機能には、用紙方向、両面機能、集約機能、製本機能、ステープル機能、パンチ機能、および拡大／縮小機能等が含まれることとしたので、請求項１〜請求項５のいずれか１つにかかる発明の効果に加えて、印刷機能として、用紙方向、両面機能、集約機能、製本機能、ステープル機能、パンチ機能、および拡大／縮小機能等を選択することが可能となる。
【００３０】
また、請求項７にかかる発明によれば、請求項１〜請求項６のいずれか１つにかかる発明において、並び替え指定手段は、第１の表示領域に表示されたシンボルの並び替えを指定し、並び替え手段は、並び替え指定手段で指定された並び替えに従って第１の表示領域に表示されているシンボルを並び替えることとしたので、請求項１〜請求項６のいずれか１つにかかる発明の効果に加えて、ユーザーの使用頻度等に応じてシンボルを並び替えることができ、よりユーザの使い勝手が良くなる。
【００３１】
また、請求項８にかかる発明によれば、各々が複数の印刷機能を表すシンボルの一覧を表示画面上の第１の表示領域に表示し、第１の表示領域に表示されたシンボルの一覧の中から１のシンボルを選択し、第１の選択手段で選択されたシンボルが表す複数の印刷機能を設定することとしたので、印刷データをプリンタ装置で印刷する際に、簡単にプリンタ装置の印刷機能の設定を行うことが可能となる。
【００３２】
また、請求項９にかかる発明によれば、請求項８にかかる発明において、表示画面上に、複数の印刷機能を選択するための第２の表示領域を表示し、第２の表示領域で、複数の印刷機能を選択し、選択された複数の印刷機能を表すシンボルを作成し、選択された複数の印刷機能と、作成した複数の印刷機能を表すシンボルとを対応づけて登録することとしたので、請求項８にかかる発明の効果に加えて、ユーザが所望の複数の印刷機能を表すシンボルを作成し、作成したシンボルを選択することで複数の印刷機能を設定でき、ユーザーの使い勝手が良くなる。
【００３３】
また、請求項１０にかかる発明によれば、請求項９にかかる発明において、さらに、作成されたシンボルを、表示画面上の第３の表示領域に表示することとしたので、請求項９にかかる発明の効果に加えて、ユーザーは、複数の印刷機能を表すシンボルの作成工程を確認することが可能となる。
【００３４】
また、請求項１１にかかる発明によれば、請求項９または請求項１０にかかる発明において、第２の表示領域に、単一の印刷機能を表すシンボル群を表示し、第２の表示領域に表示されたシンボル群から複数のシンボルを選択して、当該選択した複数のシンボルが各々表す印刷機能を選択することとしたので、請求項９または請求項１０にかかる発明の効果に加えて、ユーザーは、印刷機能の選択が容易となる。
【００３５】
また、請求項１２にかかる発明によれば、請求項９〜請求項１１のいずれか１つにかかる発明において、各印刷機能毎に、印刷機能を表すイメージが複数登録されている記憶手段から、選択された印刷機能を表すイメージを読み出して合成し、複数の印刷機能を表すシンボルを作成することとしたので、請求項９〜請求項１１のいずれか１つにかかる発明の効果に加えて、簡単な方法で複数の印刷機能を表すシンボルを作成することが可能となる。
【００３６】
また、請求項１３にかかる発明によれば、請求項８〜請求項１２のいずれか１つにかかる発明において、印刷機能には、用紙方向、両面機能、集約機能、製本機能、ステープル機能、パンチ機能、および拡大／縮小機能等が含まれることとしたので、請求項８〜請求項１２のいずれか１つにかかる発明の効果に加えて、印刷機能として、用紙方向、両面機能、集約機能、製本機能、ステープル機能、パンチ機能、および拡大／縮小機能等を選択することが可能となる。
【００３７】
また、請求項１４にかかる発明によれば、請求項８〜請求項１３のいずれか１つにかかる発明において、第１の表示領域に表示されたシンボルの並び替えを指定し、指定された並び替えに従って第１の表示領域に表示されているシンボルを並び替えることとしたので、請求項８〜請求項１３のいずれか１つにかかる発明の効果に加えて、ユーザーの使用頻度等に応じてシンボルを並び替えることができ、よりユーザの使い勝手が良くなる。
【００３８】
また、請求項１５にかかる発明によれば、コンピュータで記録媒体に格納されているプログラムを実行することにより、請求項８〜請求項１４のいずれか１つに記載の発明の各ステップを実現することとしたので、印刷データをプリンタ装置で印刷する際に、簡単にプリンタ装置の印刷機能の設定を行うことが可能となる。
【図面の簡単な説明】
【００３９】
【図１】本実施の形態にかかるプリンタシステムの概略構成を示す図である。
【図２】図１のパーソナルコンピュータの構成を示すブロック図である。
【図３】図１のプリンタ装置の構成を示すブロック図である。
【図４】印刷条件と、当該印刷条件を示すイメージデータのファイル、およびイメージデータとの対応関係を説明するための図（その１）である。
【図５】印刷条件と、当該印刷条件を示すイメージデータのファイル、およびイメージデータとの対応関係を説明するための図（その２）である。
【図６】プリンタドライバのワンクリックアイコンの登録手順の概要を説明するためのフローチャートである。
【図７】プリンタドライバの印刷機能設定画面（その１）を示す図である。
【図８】プリンタドライバの印刷機能設定画面（その２）を示す図である。
【図９】ワンクリックアイコンの編集条件設定画面を示す図である。
【図１０】ワンクリックアイコンの基本条件設定画面を示す図である。
【図１１】ワンクリックアイコンの仕上げ条件設定画面を示す図である。
【図１２】ワンクリックアイコン登録画面を示す図である。
【図１３】ワンクリックアイコン管理画面を示す図である。
【図１４】ワンクリックアイコンの登録手順を具体的に説明するための表示画面の表示例を示す図である。
【図１５】ワンクリックアイコンの登録手順を具体的に説明するための表示画面の表示例を示す図である。
【図１６】ワンクリックアイコンの登録手順を具体的に説明するための表示画面の表示例を示す図である。
【図１７】ワンクリックアイコンの登録手順を具体的に説明するための表示画面の表示例を示す図である。
【図１８】ワンクリックアイコンの登録手順を具体的に説明するための表示画面の表示例を示す図である。
【図１９】ワンクリックアイコンの登録手順を具体的に説明するための表示画面の表示例を示す図である。
【図２０】ワンクリックアイコンの登録手順を具体的に説明するための表示画面の表示例を示す図である。
【図２１】ワンクリックアイコンの登録手順を具体的に説明するための表示画面の表示例を示す図である。
【図２２】プリンタドライバのワンクリックアイコンを使用して、文書データを印刷する場合の手順を説明するためのフローチャートである。
【発明を実施するための形態】
【００４０】
以下、図面を参照して、本発明にかかる情報処理装置および印刷条件設定方法の好適な実施の形態を、［本実施の形態にかかるプリントシステム］、［パーソナルコンピュータ］、［プリンタ装置］、［パーソナルコンピュータのプリンタドライバ］の順に詳細に説明する。なお、本明細書において、「印刷条件」と「印刷機能」を同義の語として使用する。また、「シンボル」は、アイコン等のイメージを含む広い概念の用語として使用する。
【００４１】
［本実施の形態にかかるプリントシステム］
図１は，本実施の形態に係るプリントシステムの概略構成例を示す図である。図１に示すプリントシステム１は，印刷データ及び当該印刷データを印刷するための印刷条件を含む印刷ジョブを送出するパーソナルコンピュータ１と，印刷データを印刷するプリンタ装置２とが、ケーブル３を介して接続されて構築されている。
【００４２】
パーソナルコンピュータ１は、作成した文書に対応した印刷データ及びこの文書印刷するために設定した印刷条件データ（用紙方向、両面、集約、製本、ステープル、パンチ、拡大／縮小等）を印刷ジョブとしてプリンタ装置２に送出する。
【００４３】
プリンタ装置２は，パーソナルコンピュータ２から送出される印刷ジョブに従って印刷データの印刷を行う。具体的には，プリンタ４は，印刷ジョブに含まれる印刷条件データ（用紙方向、両面、集約、製本、ステープル、パンチ、拡大／縮小等）に従って，印刷ジョブに含まれる印刷データを紙などのメディアに印刷する。
【００４４】
以下、パーソナルコンピュータ１およびプリンタ装置２の具体的な構成を順に説明する。
【００４５】
［パーソナルコンピュータ］
図２は，図１で示したパーソナルコンピュータ１の概略構成を示すブロック図である。図２において，パーソナルコンピュータ１は、データを入力するための入力部１１と、表示部１２と、データ通信をおこなうための通信部１３と、装置全体の制御を司るＣＰＵ１４と、ＣＰＵ１４のワークエリアとして使用されるＲＡＭ１５と、記録媒体１７のデータのリード／ライトを行う記録媒体アクセス装置１６と、ＣＰＵ１４を動作させるための各種プログラム等を記憶した記録媒体１７とから構成されている。
【００４６】
入力部１１は、カーソルキー、数字入力キー及び各種機能キー等を備えたキーボード、表示部１２の表示画面上でキーの選択等を行うためのマウスやスライスパット等からなり、操作者がＣＰＵ１４に操作指示を与えたり、データを入力するためのユーザーインターフェースである。
【００４７】
表示部１２は、ＣＲＴやＬＣＤ等により構成され、ＣＰＵ１２から入力される表示データに応じた表示が行われる。通信部１３は、外部とデータ通信するためのものであり、例えば、ケーブル３を介してプリンタ装置２等とデータ通信を行うためのものである。
【００４８】
ＣＰＵ１４は、記録媒体１７に格納されているプログラムに従って、装置全体を制御する中央制御ユニットであり、このＣＰＵ１４には、入力部１１、表示部１２、通信部１３、ＲＡＭ１５、記録媒体アクセス装置１６が接続されており、データ通信、メモリへのアクセスによるアプリケーションプログラムの読み出しや各種データのリード／ライト、データ／コマンド入力、表示等を制御する。また，ＣＰＵ１４は，入力部１１から入力された印刷データ及び当該印刷データの印刷条件データを印刷ジョブとして通信部１３を介して，プリンタ装置２に送出する。
【００４９】
ＲＡＭ１５は、指定されたプログラム、入力指示、入力データ及び処理結果等を格納するワークメモリと、表示部１２の表示画面に表示する表示データを一時的に格納する表示メモリとを備えている。
【００５０】
上記記録媒体１７は、ＣＰＵ１４が実行可能なＯＳプログラム１７ａ（例えば、ＷＩＮＤＯＷＳ（登録商標）９５やＷＩＮＤＯＷＳ（登録商標）９８等）、文書作成用アプリケーションプログラム１７ｂ、プリンタ装置１に対応したプリンタドライバ１７ｃ等の各種プログラムやデータを格納する。記録媒体１７としては、例えば、フロッピー（登録商標）ディスク、ハードディスク、ＣＤ−ＲＯＭ、ＤＶＤ−ＲＯＭ、ＭＯやＰＣカード等の光学的・磁気的・電気的な記録媒体から成る。上記各種プログラムは、ＣＰＵ１４が読み取り可能なデータ形態で記録媒体１７に格納されている。また、上記各種プログラムは、予め記録媒体に記録されている場合や通信回線を介してダウンロードされて記録媒体に格納される場合等がある。また、上記各種プログラムは通信回線を介して配信可能である。
【００５１】
［プリンタ装置］
図３は，図１で示したプリンタ装置２の概略構成を示すブロック図である。図３に，プリンタ装置２は，データ通信をおこなう通信部２１と，プリンタ装置２の全体の制御を司るＣＰＵ２２と，ＣＰＵ２２を動作させる各種制御プログラムを格納したＲＯＭ２３と，及び各種制御プログラムのワークエリアおよびパーソナルコンピュータ１等から入力される印刷ジョブの印字データおよび印刷条件データを一時的格納するＲＡＭ２４と，印字データを転写紙に印字するためのプリンタエンジン２５、印字データが印字された紙をステープルするためのステープル部２６、印字データが印字された転写紙に穴を空けるためのパンチ部２７等から構成されており、プリンタ装置２は、両面機能、パンチ機能、ステープル機能等を備えている。
【００５２】
通信部２１は，外部とデータ通信を行うためのものであり、例えば、パーソナルコンピュータ２とデータ通信を行うものである。
【００５３】
ＣＰＵ２２は，ＲＯＭ２３に格納されている各種制御プログラムに従って装置全体を制御する中央制御ユニットである。このＣＰＵ２２には，通信部２１と，ＲＯＭ２３と，ＲＡＭ２４と，プリンタエンジン２５と、ステープル部２６と、パンチ部２７が接続されており，データ通信やプリンタ動作等を制御する。
【００５４】
ＲＯＭ２３は，ＣＰＵ２１を動作させるための各種制御プログラムやその処理に使用されるパラメータ等を記憶している。ＲＡＭ２４は，指定された制御プログラム，処理結果，及び受信した印刷データ等を格納するワークメモリを備えている。
【００５５】
プリンタエンジン２５は、電子写真方式のプリンタエンジンで構成されており、印字データを転写紙に印字するユニットである。
【００５６】
［パーソナルコンピュータのプリンタドライバ］
次に，上記パーソナルコンピュータ１のプリンタドライバ１７ｃについて説明する。ＣＰＵ１４は、プリンタドライバ１７ｃに従って、後述する印刷条件の設定、ワンクリックアイコンの登録、文書作成アプリケーション１７ｂで作成した印刷データのプリンタ装置２への転送等を行う。
【００５７】
プリンタドライバ１７ｃは各印刷条件を示すイメージデータをビットマップファイル形式で備えている。プリンタドライ１７ｃでは、印刷条件と当該印刷条件を示すイメージデータのファイルとを対応づけて記憶している。図４および図５は、印刷条件と、当該印刷条件を示すイメージデータのファイル、およびイメージデータとの対応関係を示す図である。プリンタドライバ１７ｃには、図４および図５に示すように、１．書類ベース、２．集約仕切線、３．集約印刷順序矢印、４．スタンプ、５．ステープル、パンチ、６．両面等の各印刷条件毎のイメージデータが登録されている。
【００５８】
プリンタドライバ１７ｃでは、１．書類ベース、２．集約仕切線、３．集約印刷順序矢印、４．スタンプ、５．ステープル、パンチ、６．両面、７．変倍の順にイメージデータを重ねることにより、アイコンを作成して表示画面に表示する。
【００５９】
１．ワンクリックアイコンの登録手順の概略
プリンタドライバでのワンクリックアイコンの登録手順の概要を図６のフローチャートを参照して説明する。図６は、プリンタドライバ１７ｃにおけるワンクリックアイコンの登録手順の概要を説明するためのフローチャートを示している。
【００６０】
図６において、表示部に表示されるプリンタドライバの印刷機能設定画面で、基準となるアイコンを選択する（ステップＳ１）。つぎに、ワンクリックアイコン設定画面（基準印刷条件設定画面、編集条件設定画面、仕上げ条件設定画面）で、印刷条件を選択し（ステップＳ２）、基準となるアイコンをベースとして、選択した印刷条件に応じた印刷結果を表すワンクリックアイコンを作成する（ステップＳ３）。基本条件設定画面、編集条件設定画面、仕上げ条件設定画面の１または複数の画面を選択し、印刷条件（用紙方向、両面、集約、製本、ステープル、パンチ、拡大／縮小等）の選択と当該選択した複数の印刷条件の印刷結果を示すワンクリックアイコンを作成する。
【００６１】
そして、作成したワンクリックアイコンの設定名、コメントを入力し（ステップＳ４）、設定名、コメント、作成したワンクリックアイコン、および選択した印刷条件を対応させて記録媒体に登録する（ステップＳ５）。そして、この登録されたワンクリックアイコンは、以降、プリンタドライバ画面に表示され、表示されたワンクリックアイコンが選択されると、印刷条件が自動設定される。
【００６２】
２．プリンタドライバの表示画面
つぎに、図７〜図１３を参照して、プリンタドライバの表示画面を説明する。図７はプリンタドライバの印刷機能設定画面（その１）、図８は、プリンタドライバの印刷機能設定画面（その２）、図９はワンクリックアイコンの編集条件設定画面、図１０はワンクリックアイコンの基本条件設定画面、図１１はワンクリックアイコンの仕上げ条件設定画面、図１２はワンクリックアイコン登録画面、図１３はワンクリックアイコン管理画面を示している。
【００６３】
図７に示すプリンタドライバ１７ｃの印刷機能設定画面は、文書作成アプリケーションの表示画面やＯＳの起動画面等で、プリンタドライバ１７ｃの起動が選択された場合に表示される画面である。
【００６４】
同図に示す印刷機能設定画面において、ａ１は、登録されているワンクリックアイコンが一覧表示されるアイコン表示領域を示している。アイコン表示領域ａ１に表示されるアイコンは、記録媒体１７に格納されているイメージデータ（図４および図５参照）が重ねあわされて表示される。アイコン表示領域ａ１には、タテ原稿のアイコンＩ１、原稿タテ、集約１／２（印刷順左→右）、仕切線有りのアイコンＩ２，原稿タテのスタンプ（ＣＯＰＹ）のアイコンＩ３、原稿タテ両面のアイコンＩ４，原稿タテ、集約１／２（印刷順左→右）、仕切線有り、両面のアイコンＩ５等が表示されている。このアイコン表示領域ａ１で、ワンクリックアイコンを作成する際の基準となるアイコンを選択する。
【００６５】
ここで、一例としてアイコンＩ２を作成する場合を説明する。アイコンＩ２は、原稿がタテ、集約１／２（２枚の原稿を１枚に印刷）、原稿を左から右に印刷、および仕切線有りの印刷内容を示している。このアイコンＩ２は、１．書類ベース（図４のＩ２ＭＰ．ｂｍｐのイメージデータ）、２．集約仕切線（図４のＩＬｉｎ２Ｐ．ｂｍｐのイメージデータ）、３．集約印刷順序矢印（図４のＩＡｒｒ２ＡＰ．ｂｍｐのイメージデータ）の順に重ね合わせて作成する。
【００６６】
ａ２は、原稿の方向を選択する原稿方向選択領域を示している。原稿方向選択領域ａ２で、原稿の「タテ」または「ヨコ」が選択する。この原稿の「タテ」または「ヨコ」の選択に応じて、アイコン表示領域ａ１に表示されるアイコンのタテとヨコが切り替わる。図７のアイコン表示領域ａ１の表示例は、原稿方向選択領域ａ２で「タテ」が選択されている場合を示している。原稿方向選択領域ａ２で「ヨコ」が選択された場合には、アイコン表示領域ａ１の表示例は、図８に示すように、原稿ヨコ方向のアイコンが表示される。
【００６７】
また、図７において、ａ３は、印刷部数を選択するための印刷部数選択領域、ａ４は、原稿サイズを選択する原稿サイズ選択領域、ａ５は、印刷用紙サイズを選択するための印刷用紙サイズ選択領域を示している。
【００６８】
ｂ１は、アイコンの管理画面の表示を選択するための「アイコンの管理」キー、ｂ２は、ワンクリックアイコンの登録を行うための画面を表示するための「ワンクリック設定の新規作成／変更」キー、ｂ３は、印刷の実行指示を選択するための「ＯＫ」キーを示している。
【００６９】
この図７の印刷機能設定画面で、アイコン表示領域ａ１に表示されているアイコンの中から基準となるアイコンを選択した後、「ワンクリック設定の新規作成／変更」キーｂ２を選択すると、ワンクリックアイコンの編集条件設定画面が表示される。
【００７０】
つぎに、図９を参照してワンクリックアイコンの編集条件設定画面を説明する。同図に示す編集条件設定画面において、ｂ１１は、基本条件選択画面（図１０参照）の表示を選択するための「基本」キー、ｂ１２は、編集条件選択画面（図９参照）の表示を選択するための「編集」キー、ｂ１３は、仕上げ条件選択画面（図１１参照）の表示を選択するための「仕上げ」キーを示している。
【００７１】
ａ１０は、アイコン表示領域ａ１で選択されたアイコンの設定名が表示されるアイコン設定名表示領域、ａ１１は、選択された印刷機能に対応したワンクリックアイコンを表示するためのワンクリックアイコン表示領域、ｄ１０は、集約／拡大連写を選択するためのラジオボタン、ａ１２は、集約／拡大連写の種類を選択するための集約／拡大連写種類選択領域、ａ１３は、集約／拡大連写種類選択領域ａ１２で選択された種類に応じたアイコン（パーツ）の一覧を表示する集約／拡大連写パーツアイコン表示領域を示している。
【００７２】
ｄ１は、両面／製本を選択するためのラジオボタン、ａ１４は、両面／製本の印刷条件のアイコン（パーツ）を表示する両面／製本パーツアイコン表示領域を示している。ｄ４は、仕切線を選択するためのラジオボタン、ｄ１は、スタンプを選択するためのラジオボタン、ａ１５は、スタンプの種類を選択するためのスタンプ種類選択領域を示している。スタンプ表示種類選択領域ａ１５では、”ＤＲＡＦＴ”、”マルヒ”、”社外秘”等の項目が選択可能となっている。ｂ１８は、ワンクリックアイコンを登録するための登録画面の表示を選択するための「名前をつけて保存」キーを示している。
【００７３】
ワンクリックアイコン表示領域ａ１１には、集約／拡大連写種類選択領域ａ１３で選択された印刷機能（アイコン）、両面／製本パーツアイコン表示領域ａ１４で選択された印刷機能（アイコン）、スタンプ種類選択領域ａ１５で選択されたスタンプに応じたワンクリックアイコンが合成されて表示される。
【００７４】
つぎに、図１０を参照してワンクリックアイコンの基本条件設定画面を説明する。同図に示す基本条件設定画面において、ｂ１１は、基本条件選択画面（図１０参照）の表示を選択するための「基本」キー、ｂ１２は、編集条件選択画面（図９参照）の表示を選択するための「編集」キー、ｂ１３は、仕上げ条件選択画面（図１１参照）の表示を選択するための「仕上げ」キーを示している。
【００７５】
ａ１０は、アイコン表示領域ａ１で選択されたアイコンの設定名が表示されるアイコン設定名表示領域、ａ１１は、選択された印刷機能に対応したワンクリックアイコンを表示するためのワンクリックアイコン表示領域、ｂ２１は変倍を選択するためのラジオボタン、ａ２１は、変倍の種類（用紙指定変倍、ズーム、独立変倍）を選択するための変倍指定領域、ａ２２は、倍率を選択するための倍率選択領域を示している。ｂ１８は、ワンクリックアイコンを登録するための登録画面の表示を選択するための「名前をつけて保存」キーを示している。
【００７６】
ワンクリックアイコン表示領域ａ１１には、変倍指定領域ａ２１で選択された印刷機能に応じたワンクリックアイコンが合成されて表示される。
【００７７】
図１１は、ワンクリックアイコンの仕上げの印刷条件を設定するための仕上げ条件設定画面の表示例を示している。同図に示す仕上げ条件設定画面において、ｂ１１は、基本条件選択画面（図１０参照）の表示を選択するための「基本」キー、ｂ１２は、編集条件選択画面の表示を選択するための「編集」キー、ｂ１３は、仕上げ条件選択画面（図１１参照）の表示を選択するための「仕上げ」キーを示している。
【００７８】
ａ１０は、アイコン表示領域ａ１で選択されたアイコンの設定名が表示されるアイコン設定名表示領域、ａ１１は、選択された印刷機能に対応したワンクリックアイコンを表示するためのワンクリックアイコン表示領域、ｄ３１は、ステープルを選択するためのラジオボタン、ａ３１は、各種ステープル機能を示すアイコン（パーツ）の一覧を表示するステープル（パーツ）アイコン表示領域、ｄ３２は、パンチを選択するためのラジオボタン、ａ４は、各種パンチ機能を示すアイコン（パーツ）を表示するパンチ（パーツ）アイコン表示領域を示している。ｂ１８は、ワンクリックアイコンを登録するための登録画面の表示を選択するための「名前をつけて保存」キーを示している。
【００７９】
ワンクリックアイコン表示領域ａ１１には、ステープル表示領域ａ２１で選択された印刷機能およびパンチ表示領域ａ４で選択された印刷機能に応じたワンクリックアイコンが合成されて表示される。
【００８０】
図１２は、図９〜図１１の画面で、「名前を付けて保存」キーが選択された場合に、表示されるワンクリック登録画面の表示例を示している。同図に示すワンクリック登録画面において、ａ４１は、ワンクリックアイコンの設定名を入力するためのワンクリック設定名入力領域、ａ４２は、ワンクリックアイコンに関するコメントを入力するためのワンクリック設定のコメント入力領域、ｂ４１は、ワンクリックアイコンの登録を行うための「ＯＫ」キーを示している。
【００８１】
ワンクリック設定名入力領域ａ４１で、ワンクリック設定名を入力し、また、ワンクリック設定のコメント入力領域でワンクリックアイコンに関するコメントを入力した後、「ＯＫ」キーｂ４１を選択すると、設定名、コメント、作成したワンクリックアイコン、および選択した印刷条件が対応づけられて記録媒体１７に登録される。
【００８２】
図１３は、図７の印刷機能選択画面で、「アイコンの管理」キーｂ１が選択された場合に表示されるアイコン管理画面の一例を示している。印刷機能選択画面で、ａ４１は、登録されているワンクリックアイコンが一覧表示されるアイコン表示領域、ｂ５１は、アイコン表示領域ａ４１で選択されているアイコンを前に移動するための「前に移動」キー、ｂ５３は、アイコン表示領域ａ４１で選択されているアイコンを後ろ移動するための「後ろに移動」キー、アイコン表示領域ａ４１で選択されているアイコンを削除するための「ワンクリック設定削除」キーを示している。
【００８３】
アイコン表示領域ａ４１でアイコンを選択し、「前に移動」キーｂ４２を１回押下すると、選択されているアイコンが左側に表示されているアイコンと表示順が入れ替わり、１つ前に移動する。また、アイコン表示領域ａ４１でアイコンを選択し、「後ろに移動」キーｂ４２を１回押下すると、選択されているアイコンが右側に表示されているアイコンと表示順が入れ替わり、１つ後ろに移動する。また、アイコン表示領域ａ４１でアイコンを選択し、「ワンクリック設定削除」キーｂ４２を選択すると、選択したアイコンのワンクリック設定を削除する。
【００８４】
３．ワンクリックアイコンの登録手順の具体例
つぎに、ワンクリックアイコンの登録手順の具体例を図１４〜図２１を参照して説明する。図１４〜図２１は、ワンクリックアイコンの登録手順の具体例を説明するためにプリンタードライバ画面の表示例を示す図である。一例として、集約１／２（仕切線有り）および左上ステープルの機能を表すワンクリックアイコンを作成する具体的な手順を図１４〜図１７を参照して説明する。
【００８５】
まず、上記図７に示す印刷機能設定画面のアイコン表示領域ａ１に表示されているアイコンの中から基準となるアイコンとして、”アイコンＩ１（設定名：通常）”を選択し、原稿方向選択領域ａ２で”タテ”方向を選択した後、「ワンクリック設定の新規作成／変更」キーｂ２を選択すると、図９に示す編集条件設定画面が表示される。
【００８６】
図９に示す編集条件設定画面では、ワンクリックアイコン設定名表示領域ａ２には、図７に示す印刷機能設定画面のアイコン表示領域ａ１で選択された設定名”通常”が表示される。また、ワンクリックアイコン表示領域ａ１１では、図７のアイコン表示領域ａ１で選択された”アイコンＩ１（設定名：通常）”が表示される。
【００８７】
そして、図１４に示すように、集約／拡大連写を選択するためのラジオボタンｄ１を選択し、集約／拡大連写種類選択領域ａ１２で、”２ページを１ページに集約”を選択すると、集約／拡大連写パーツアイコン表示領域ａ１３には、２ページを１ページに集約する印刷結果を示すアイコンＩ１１、Ｉ１２が表示される。アイコンＩ１１は、左から右に２ページを１ページに集約する印刷結果を示しており、アイコンＩ１２は、右から左に２ページを１ページに集約する印刷結果を示している。そして、集約／拡大連写パーツアイコン表示領域ａ１３で、アイコンＩ１１を選択すると、ワンクリックアイコン表示領域ａ３には、左から右に２ページを１ページに集約する印刷結果を示すアイコンＩ１００が表示される。これは、書類ベースのイメージデータに、矢印のイメージデータを重ね書きしたものである。
【００８８】
つづいて、図１５に示すように、仕切線を選択するためのラジオボタンｄ１３を選択すると、ワンクリックアイコン表示領域ａ３には、アイコンＩ１００（図１４参照）に、仕切線が描画されたアイコンＩ１０１が表示される。これは、アイコンＩ１０１（図１４参照）に仕切線のイメージデータを重ね書きしたものである。
【００８９】
つづいて、図１５の画面で「編集キー」ｂ１２を選択して、編集条件設定画面を表示する。そして、編集条件設定画面で、図１６に示すように、ステープルを選択するためのラジオボタンｄ３１を選択すると、ステープル（パーツ）アイコン表示領域ａ３１には、左上ステープルの印刷結果を示すアイコンＩ２１，右上ステープルの印刷結果を示すアイコンＩ２２、左斜めステープルのアイコンＩ２３、左側２カ所ステープルのアイコンＩ２４、および右側２カ所ステープルのアイコンＩ２５の５つのアイコンが表示される。
【００９０】
このステープル（パーツ）アイコン表示領域ａ３１で、左上ステープルのアイコンＩ２１を選択すると、ワンクリックアイコン表示領域ａ３１には、図１５のアイコンＩ１０１に、左上ステープルのイメージが描画されたアイコンＩ１０２が表示される。アイコンＩ１０２は、アイコンＩ１０１（図１５参照）に左上ステープルのイメージを重ね書きしたものである。これにより、集約１／２（左から右に印刷）、仕切線有り、および左上ステープルの印刷結果を示すワンクリックアイコンが作成されたことになる。
【００９１】
そして、図１６で、「名前をつけて保存」キーｂ１８を選択すると、図１２に示すワンクリックアイコン登録画面が表示され、ワンクリック設定名入力領域ａ４１で、設定名として、”集約１／２ステープル左上”を入力し、また、ワンクリック設定のコメント入力領域でワンクリックアイコンに関するコメントを入力した後、「ＯＫ」キーｂ４１を選択すると、設定名”集約１／２ステープル左上”、コメント、作成したワンクリックアイコンＩ１０２、および選択した印刷機能（集約１／２（左から右に印刷）、仕切線有り、および左上ステープル）が対応づけられてプリンタドライバ１７ｃ（記録媒体１７）に登録される。
【００９２】
この登録されたワンクリックアイコンは、図１７に示すように、印刷機能設定画面のワンクリックアイコン表示領域ａ１に表示される。この設定名”集約１／２ステープル左上”のアイコンＩ１０２を選択すると、集約１／２（左から右に印刷）、仕切線有り、および左上ステープルの印刷条件が自動的に設定される。
【００９３】
つぎに、「両面」、「スタンプ」、および「パンチ」の機能を表すワンクリックアイコンを作成する具体的な手順を図１８〜図２１を参照して説明する。具体的な説明する。
【００９４】
まず、上記図７に示す印刷機能設定画面のアイコン表示領域ａ１に表示されているアイコンの中から基準となるアイコンとして、”アイコンＩ１（設定名：通常）”を選択し、原稿方向選択領域ａ２で”タテ”方向を選択した後、「ワンクリック設定の新規作成／変更」キーｂ２を選択すると、図９に示す編集条件設定画面が表示される。
【００９５】
図９に示す編集条件設定画面では、ワンクリックアイコン設定名表示領域ａ２には、図７に示す印刷機能設定画面のアイコン表示領域ａ１で選択された設定名”通常”が表示される。また、ワンクリックアイコン表示領域ａ１１では、図７のアイコン表示領域ａ１で選択された”アイコンＩ１（設定名：通常）”が表示される。
【００９６】
そして、図１８に示すように、両面／製本を選択するためのラジオボタンｄ２を選択すると、両面／製本パーツアイコン表示領域ａ１４には、両面または製本の印刷結果を示すアイコンＩ１３〜Ｉ１５等が表示される。両面／製本パーツアイコン表示領域ａ１４で、両面の印刷結果を示すアイコンＩ２１を選択すると、、ワンクリックアイコン表示領域ａ１には、両面の印刷結果を示すアイコンＩ２００が表示される。このアイコンＩ２００は、書類ベースのイメージに両面のイメージを重ね書きしたものである。
【００９７】
つづいて、図１９に示すように、スタンプを選択するためのラジオボタンｄ３を選択すると、スタンプの種類を選択するためのスタンプ種類選択領域ａ１５にスタンプが表示される。このスタンプ種類選択領域ａ１５でカーソルキーを操作して、”マルヒ”を選択すると、ワンクリックアイコン設定名表示領域ａ２には、アイコンＩ２００（図１８参照）に、マルヒの文字が描画されたアイコンＩ２０１が表示される。このアイコンＩ２０１は、アイコンＩ２００（図１８参照）に、マルヒの文字のイメージを重ね書きしたものである。
【００９８】
つぎに、図１９の画面の仕上げキーｂ１３を選択して、図仕上げ条件設定画面を表示し、図２０に示すように、パンチを選択するためのラジオボタンｄ３２を選択すると、パンチ（パーツ）アイコン表示領域ａ３２には、左側パンチの印刷結果を示すアイコンＩ２５、右側パンチのアイコン結果を示すアイコンＩ２６が表示される。そして、左側パンチの印刷結果を示すアイコンＩ２５を選択すると、ワンクリックアイコン表示領域ａ１には、アイコンＩ２０１（図１９参照）に、左側パンチのイメージが描画されたアイコンＩ２０２が表示される。このアイコンＩ２０２は、アイコンＩ２０１（図１９参照）に、左側パンチのイメージを重ね書きしたものである。
【００９９】
そして、図２０で、「名前をつけて保存」キーｂ１８を選択すると、図１２に示すワンクリックアイコン登録画面が表示される。そして、このワンクリック設定名入力領域ａ４１にワンクリック名として、”両面スタンプパンチ”を入力し、また、ワンクリック設定のコメント入力領域ａ４２で、作成したワンクリックアイコンに関するコメントを入力した後、「ＯＫ」キーｂ４２を選択すると、設定名”両面スタンプパンチ”、コメント、作成したワンクリックアイコンＩ２０２、および選択した印刷機能（両面、スタンプ、左パンチ）が対応づけられてプリンタドライバに登録される。
【０１００】
この登録されたワンクリックアイコンは、図２１に示すように、印刷機能設定画面のワンクリックアイコン表示領域ａ１に表示される。この設定名””両面スタンプパンチ”のアイコンＩ１０２を選択すると、対応する印刷機能（両面、スタンプ、左パンチ）が自動的に設定される。
【０１０１】
４．ワンクリックアイコンを使用した印刷動作
次に，プリンタドライバ１７ｃのワンクリックアイコンを使用して、文書データを印刷する場合の手順を図２２のフローチャートを参照して説明する。図２２は、プリンタドライバ１７ｃのワンクリックアイコンを使用して、文書データを印刷する場合の手順を説明するためのフローチャートである。
【０１０２】
図２２において、まず、文書作成アプリケーションで文書を作成し（ステップＳ１０）、文書作成アプリケーション１７ｂの表示画面でプリンタドライバ１７ｃを起動させて、プリンタドライバーの印刷機能設定画面（図７参照）を表示する（ステップＳ１１）。つづいて、印刷機能設定画面のアイコン表示領域ａ１に表示されるワンクリックアイコンの中から所望のワンクリックアイコンを選択すると（ステップＳ１２）、選択されたワンクリックアイコンに対応させて登録している印刷条件が自動設定される。そして、他の印刷条件（給紙トレイ、用紙種類、排紙先、部数等）を設定した後（ステップＳ１３）、ＯＫボタンｂ３が選択されると、ワンクリックアイコンに対応させて登録されている印刷条件および他の印刷条件等の印刷条件データおよび文書データがパーソナルコンピュータ２からプリンタ装置２に転送される（ステップＳ１４）。これに応じて、プリンタ装置では、転送されてくる印刷条件データに従って、文書データを印字する。
【０１０３】
以上説明したように本実施の形態のプリンタドライバ１７ｃでは、各々が１または複数の印刷機能を表すワンクリックアイコンの一覧をアイコン表示領域ａ１に表示し、アイコン表示領域ａ１に表示されたワンクリックアイコンの一覧の中から１のワンクリックアイコンを選択し、選択したワンクリックアイコンに対応した複数の印刷機能を自動設定することとしたので、印刷データをプリンタ装置で印刷する際に、簡単にプリンタ装置の印刷機能の設定を行うことが可能となる。
【０１０４】
また、本実施の形態のプリンタドライバ１７ｃでは、表示画面上に、複数の印刷機能をワンクリックアイコン設定画面（編集条件設定画面、仕上げ条件設定画面、基本条件設定画面等）で選択して、選択された複数の印刷機能を表すワンクリックアイコンを作成して、ワンクリックアイコン表示領域ａ１１に表示し、選択された複数の印刷機能と、複数の印刷機能を表すワンクリックアイコンと、設定名を対応づけて登録することとしたので、ユーザが所望の複数の印刷機能を表すワンクリックアイコンを作成し、作成したワンクリックアイコンを選択することで複数の印刷機能を自動設定でき、ユーザーの使い勝手が良くなる。
【０１０５】
なお、本発明は、上記した実施の形態に限定されるものではなく、発明の要旨を変更しない範囲で適宜変形可能である。
【符号の説明】
【０１０６】
１  パーソナルコンピュータ
２  プリンタ装置
３  ケーブル
１１  入力部
１２  表示部
１３  通信部
１４  ＣＰＵ
１５  ＲＡＭ
１６  記録媒体アクセス装置
１７  記録媒体
１７ａ  ＯＳプログラム
１７ｂ  文書作成アプリケーションプログラム
１７ｃ  プリンタドライバ
２１  通信部
２２  ＣＰＵ
２３  ＲＯＭ
２４  ＲＡＭ
２５  プリンタエンジン
２６  ステープル部
２７  パンチ部
ａ１  アイコン表示領域
ａ２  原稿方向選択領域
ａ３  印刷部数選択領域
ａ４  原稿サイズ選択領域
ａ５  印刷用紙サイズ選択領域
ａ１１  ワンクリックアイコン表示領域
ａ１２  集約／拡大連写種類選択領域
ａ１３  集約／拡大連写パーツアイコン表示領域
ａ１４  両面／製本パーツアイコン表示領域
ａ１５  スタンプ種類選択領域
ａ２１  変倍指定領域
ａ２２  倍率選択領域
ａ３１  ステープル（パーツ）アイコン表示領域、
ａ３２  パンチ（パーツ）アイコン表示領域
ｂ１  「アイコンの管理」キー、
ｂ２  「ワンクリック設定の新規作成／変更」キー
ｂ３  「ＯＫ」キー
ｂ１１  「基本」キー
ｂ１２  「編集」キー
ｂ１３  「仕上げ」キー
ｂ１８  「名前をつけて保存」キー
ｂ５１  「前に移動」キー
ｂ５２  「後ろに移動」キー
ｂ５３  「ワンクリック設定削除」キー
ｄ１  集約／拡大連写を選択するためのラジオボタン
ｄ２  両面／製本を選択するためのラジオボタン
ｄ３  スタンプを選択するためのラジオボタン
ｄ４  仕切線を選択するためのラジオボタン
ｄ１０  集約／拡大連写を選択するためのラジオボタン
ｄ１１  両面／製本を選択するためのラジオボタン
ｄ１３  仕切線を選択するためのラジオボタン
ｄ３１  ステープルを選択するためのラジオボタン
ｄ３２  パンチを選択するためのラジオボタン
【図１】
2010250851.tif 000003
【図２】
2010250851.tif 000004
【図３】
2010250851.tif 000005
【図４】
2010250851.tif 000006
【図５】
2010250851.tif 000007
【図６】
2010250851.tif 000008
【図７】
2010250851.tif 000009
【図８】
2010250851.tif 000010
【図９】
2010250851.tif 000011
【図１０】
2010250851.tif 000012
【図１１】
2010250851.tif 000013
【図１２】
2010250851.tif 000014
【図１３】
2010250851.tif 000015
【図１４】
2010250851.tif 000016
【図１５】
2010250851.tif 000017
【図１６】
2010250851.tif 000018
【図１７】
2010250851.tif 000019
【図１８】
2010250851.tif 000020
【図１９】
2010250851.tif 000021
【図２０】
2010250851.tif 000022
【図２１】
2010250851.tif 000023
【図２２】
2010250851.tif 000024
【手続補正書】
【提出日】平成22年7月21日(2010.7.21)
【手続補正２】
【補正対象書類名】明細書
【補正対象項目名】０００１
【補正方法】変更
【補正の内容】
【０００１】
本発明は，情報処理装置に関し、詳細には、複数の印刷条件を表象するアイコンを作成し、当該作成されたアイコンを選択して複数の印刷条件を設定することが可能な情報処理装置に関する。
【手続補正３】
【補正対象書類名】明細書
【補正対象項目名】０００３
【補正方法】変更
【補正の内容】
【０００３】
本発明は、上記に鑑みてなされたものであり、印刷データをプリンタ装置で印刷する際に、簡単にプリンタの印刷機能の設定を行うことが可能な情報処理装置を提供することを目的とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００４０
【補正方法】変更
【補正の内容】
【００４０】
以下、図面を参照して、本発明にかかる情報処理装置の好適な実施の形態を、［本実施の形態にかかるプリントシステム］、［パーソナルコンピュータ］、［プリンタ装置］、［パーソナルコンピュータのプリンタドライバ］の順に詳細に説明する。なお、本明細書において、「印刷条件」と「印刷機能」を同義の語として使用する。また、「シンボル」は、アイコン等のイメージを含む広い概念の用語として使用する。
【手続補正２３】
【補正対象書類名】特許請求の範囲
【補正対象項目名】全文
【補正方法】変更
【補正の内容】
【特許請求の範囲】
【請求項１】
表示部に表示される表示画面上で、印刷データをプリンタ装置で印刷する際の印刷機能を設定する情報処理装置において、
各々が複数の印刷機能を表すシンボルの一覧を前記表示画面上の第１の表示領域に表示する第１の表示制御手段と、
前記第１の表示領域に表示されたシンボルの一覧の中から１のシンボルを選択する第１の選択手段と、
前記第１の選択手段で選択されたシンボルが表す複数の印刷機能を設定する印刷機能設定手段と、
を備えたことを特徴とする情報処理装置。
【請求項２】
前記表示画面上に、複数の印刷機能を選択するための第２の表示領域を表示する第２の表示制御手段と、
前記第２の表示領域で、複数の印刷機能を選択するための印刷機能選択手段と、
前記印刷機能選択手段で選択された複数の印刷機能を表すシンボルを作成するシンボル作成手段と、
前記印刷機能選択手段で選択された複数の印刷機能と、前記シンボル作成手段で作成した複数の印刷機能を表すシンボルとを対応づけて登録するシンボル登録手段と、
を備えたことを特徴とする請求項１に記載の情報処理装置。
【請求項３】
さらに、前記シンボル作成手段で作成されたシンボルを、前記表示画面上の第３の表示領域に表示する第３の表示制御手段を備えたことを特徴とする請求項２に記載の情報処理装置。
【請求項４】
前記第２の表示制御手段は、前記第２の表示領域に、単一の印刷機能を表すシンボル群を表示し、
前記印刷機能選択手段は、前記第２の表示領域に表示されたシンボル群から複数のシンボルを選択して、当該選択した複数のシンボルが各々表す印刷機能を選択することを特徴とする請求項２または請求項３に記載の情報処理装置。
【請求項５】
さらに、各印刷機能毎に、印刷機能を表すイメージデータが複数登録されている記憶手段を備え、
前記シンボル作成手段は、前記印刷機能選択手段で選択された印刷機能を表す前記記憶手段に登録されているイメージデータを合成して複数の印刷機能を表すシンボルを作成することを特徴とする請求項２〜請求項４のいずれか１つに記載の情報処理装置。
【請求項６】
前記印刷機能には、用紙方向、両面機能、集約機能、製本機能、ステープル機能、パンチ機能、および拡大／縮小機能等が含まれることを特徴とする請求項１〜請求項５のいずれか１つに記載の情報処理装置。
【請求項７】
前記第１の表示領域に表示されたシンボルの並び替えを指定する並び替え指定手段と、
前記並び替え指定手段で指定された並び替えに従って前記第１の表示領域に表示されているシンボルを並び替える並び替え手段と、
を備えたことを特徴とする請求項１〜請求項６のいずれか１つに記載の情報処理装置。